(57)【特許請求の範囲】
【請求項１】
頭部を覆うフード本体の、着用者の目に対応する位置に設けられた視界確保用開口部の周縁の一部にシールドが取り付けられ、前記フード本体の、前記着用者の口に対応する位置に設けられた呼吸確保用開口部が通気性素材で覆われたシールド付防塵フードにおいて、
前記フード本体の内側に、前記着用者が着用した状態で、鼻に当接する山形形状の鼻パッドが、両端部の一部分で縫い付けられている、
ことを特徴とするシールド付防塵フード。
【請求項２】
頭部を覆うフード本体の、着用者の目に対応する位置に設けられた視界確保用開口部の周縁の一部にシールドが取り付けられ、前記フード本体の、前記着用者の口に対応する位置に設けられた呼吸確保用開口部が通気性素材で覆われたシールド付防塵フードにおいて、
前記シールドの上端部と前記フード本体との間に空気流入用開口部が形成され、前記シールドの下端部および左右両端部が前記視界確保用開口部の対応する周縁の内側と重なる状態で、前記シールドが前記視界確保用開口部の周縁の内側に着脱可能に取り付けられ、前記フード本体の内側に、前記着用者が着用した状態で、鼻に当接する山形形状の鼻パッドが、両端部の一部分で縫い付けられている、
ことを特徴とするシールド付防塵フード。
【発明の詳細な説明】
【技術分野】
【０００１】
この発明は、半導体製造工場や製薬工場などのクリーンルーム内において作業するとき、作業者が着用するシールド付防塵フードに関するものである。
【背景技術】
【０００２】
半導体製造工場や製薬工場などの製造過程において、作業者から発生する頭髪などの異物が製品に混入することが大きな問題となっている。
【０００３】
そこで、クリーンルーム内では作業者からの異物が製品に混入しないようにするため、防塵フードや、防塵服が着用されている。
【０００４】
防塵フードは防塵服のうち、頭部を覆う部分のみの製品であり、通常、防塵服とセットで着用される。
【０００５】
なお、防塵フードの下部にはスカート部が形成されており、スカート部を防塵服の内部にしまう（収容）することで、フードと防塵服との隙間から頭髪などの異物が抜け出るのを防止している。
【０００６】
上記の防塵フードでは、頭髪の製品への混入は防止できるものの、眉毛やまつ毛などがフードの視界確保用開口部の隙間から落ち、製品に混入する問題は依然として解決できていなかった。
【０００７】
そこで、視界確保用開口部の下側に、眉毛やまつ毛の脱落を防止するためのポケットを設けたシールド付防塵フード（例えば、特許文献１参照）が提案されている。
【先行技術文献】
【特許文献】
【０００８】
【特許文献１】特許第４１７５５８１号明細書
【発明の概要】
【発明が解決しようとする課題】
【０００９】
上記した特許文献１に記載されているシールド付防塵フードは、シールドが視界確保用開口部を完全に閉塞するように取り付けられているので、眉毛などが作業者（着用者）から落ちても、眉毛などがフード本体内に留まることにより、眉毛などがクリーンルーム内に落ち、製品に混入することがなくなる。
【００１０】
しかしながら、眉毛などが作業者の頭部から落ちてシールドの内面に付着したままの状態になると、眉毛などによって視界が遮られることとなり、作業が行い難くなったり、目視検査において目視検査を誤る可能性がある。
【００１１】
また、鼻パッドが設けられていないので、呼気が上昇してシールド側へ流れ、呼気に含まれている水分がシールドに付着してシールドを曇らせる場合がある。
【００１２】
また、フード本体が鼻の周囲に直接接触して着用違和感や不快感を感じたり、息苦しさを感ずることがある。
【００１３】
この発明は、上記した不都合を解消するためになされたもので、眉毛などが着用者（作業者）から落ちても、シールドの内面に付着しないように落下させることができ、呼気が上昇してシールド側へ流れるのを防止できるとともに、フード本体が鼻の周囲に直接接触しないようにして着用違和感を感じないようにしたシールド付防塵フードを提供するものである。
【課題を解決するための手段】
【００１４】
請求項１に記載の発明は、頭部を覆うフード本体の、着用者の目に対応する位置に設けられた視界確保用開口部の周縁の一部にシールドが取り付けられ、前記フード本体の、前記着用者の口に対応する位置に設けられた呼吸確保用開口部が通気性素材で覆われたシールド付防塵フードにおいて、前記フード本体の内側に、前記着用者が着用した状態で、鼻に当接する山形形状の鼻パッドが、両端部の一部分で縫い付けられていることを特徴とする。
【００１５】
請求項２に記載の発明は、頭部を覆うフード本体の、着用者の目に対応する位置に設けられた視界確保用開口部の周縁の一部にシールドが取り付けられ、前記フード本体の、前記着用者の口に対応する位置に設けられた呼吸確保用開口部が通気性素材で覆われたシールド付防塵フードにおいて、前記シールドの上端部と前記フード本体との間に空気流入用開口部が形成され、前記シールドの下端部および左右両端部が前記視界確保用開口部の対応する周縁の内側と重なる状態で、前記シールドが前記視界確保用開口部の周縁の内側に着脱可能に取り付けられ、前記フード本体の内側に、前記着用者が着用した状態で、鼻に当接する山形形状の鼻パッドが、両端部の一部分で縫い付けられていることを特徴とする。
【図面の簡単な説明】
【００２４】
【図１】この発明の一実施例であるシールド付防塵フードの着用状態を示す斜視図である。
【図２】図１に示した着用状態においてシールドを取り外した状態の斜視図である。
【図３】図１に示したシールド付防塵フードの正面図である。
【図４】図１に示したシールド付防塵フードの平面図である。
【図５】図１に示したシールド付防塵フードの底面図である。
【図６】図１に示したシールド付防塵フードの右側面図である。
【図７】図４におけるＡ−Ａ線による断面図である。
【図８】図１に示したシールド付防塵フードの前側部分の内側を示す説明図である。
【図９】シールドの取付状態の正面図である。
【図１０】（ａ）は鼻パッドの背面図、（ｂ）は鼻パッドの左側面図、（ｃ）は図１０（ｂ）におけるＢ−Ｂ線による断面図である。
【発明を実施するための形態】
【００２５】
以下、この発明の実施例を、図面を参照して説明する。
【００２６】
図１はこの発明の一実施例であるシールド付防塵フードの着用状態を示す斜視図、図２は図１に示した着用状態においてシールドを取り外した状態の斜視図、図３は図１に示したシールド付防塵フードの正面図、図４は図１に示したシールド付防塵フードの平面図、図５は図１に示したシールド付防塵フードの底面図、図６は図１に示したシールド付防塵フードの右側面図、図７は図４におけるＡ−Ａ線による断面図、図８は図１に示したシールド付防塵フードの前側部分の内側を示す説明図、図９はシールドの取付状態の正面図、図１０（ａ）は鼻パッドの背面図、図１０（ｂ）は鼻パッドの左側面図、図１０（ｃ）は図１０（ｂ）におけるＢ−Ｂ線による断面図である。
【００２７】
以下の説明において、前後、左右、上下は、着用者から見ての前後、左右、上下とする。
【００２８】
この発明の一実施例のシールド付防塵フード１１は、図１に示すように、着用者の頭部を覆う天頂を有した筒状で、通気性のないフード本体２１と、このフード本体２１の下側に取り付けられ、着用者の肩を覆う環状の通気性のないスカート部３１と、フード本体２１の後外側に取り付けられ、フード本体２１の締め付け状態を調整する複数の締め付け調整機構４１，４２（図６をも参照）とで構成されている。
【００２９】
そして、フード本体２１には、着用者の目に対応する位置に視界を確保するための視界確保用開口部２２が設けられ、着用者の口に対応する位置に呼吸を確保するための呼吸確保用開口部２３が設けられるとともに、着用者の両耳に対応する位置に聴取を確保するための聴取確保用開口部２５Ｌ，２５Ｒ（図７をも参照）が設けられている。
【００３０】
上記した視界確保用開口部２２の部分には、フード本体２１内から眉毛などが外部に出ないように、シールド５１が着脱可能な複数の取付部材５４（図９を参照）によって取り付けられている。
【００３１】
上記したシールド５１は、図９に示すように、正面視角をとった四角形状（ほぼ楕円形状）で下側の中央部分（鼻に対応する部分）が上側へ円弧状に切り掛かれた透明または半透明の屈曲可能な板状で、防曇加工を施したシールド本体５２と、このシールド本体５２の周縁を覆うように取り付けられた（縫い付けられた）シールド本体端部保護部材５３と、このシールド本体端部保護部材５３の上からシールド本体５２に、例えば、下端部の中央部と、左右両端部とにそれぞれ取り付けられた取付部材５４を構成する、例えば、取付部材部が取り付けられている。
【００３２】
なお、図１への図示は省略されているが、フード本体２１に設けた視界確保用開口部２２の、シールド５１に取り付けた複数の取付部材５４に対応する周縁の内側に、被取付部材を構成する、例えば、被取付部材部がそれぞれ取り付けられている。
【００３３】
上記したシールド５１は、取付部材５４によってフード本体２１の視界確保用開口部２２の周縁に取り付けられると、図１に示すように、シールド５１の上端部とフード本体２１との間に三日月形状の空気流入用開口部Ｈが形成され、シールド５１の下端部および左右両端部が視界確保用開口部２２の対応する周縁と重なり、シールド５１の下端部および左右両端部がフード本体２１の内側に位置する状態で取り付けられる。
【００３４】
そして、フード本体２１の内側には、図５に示すように、取り付けたシールド５１の左端部が着用者の左顔面に直接接触しないように、シールド５１の左端部を内側から覆う、例えば、メッシュ状のシールド左端部カバー５６Ｌが取り付けられるとともに、取り付けたシールド５１の右端部が着用者の右顔面に直接接触しないように、シールド５１の右端部を内側から覆う、例えば、メッシュ状のシールド右端部カバー５６Ｒが取り付けられている。
【００３５】
上記した呼吸確保用開口部２３は、図１に示すように、呼吸確保用開口部２３の周縁（視界確保用開口部２２と連通する周縁を除いた周縁）の内側に取り付けた（縫い付けた）フィルタ機能を有する通気性素材２４によって覆われている。
【００３６】
この通気性素材２４は、着用者の口から離れる前方向へ膨らみ、着用者の口の部分に空間を確保できる前側凸形状に縫製されている。
【００３７】
上記した聴取確保用開口部２５Ｌは、聴取確保用開口部２５Ｌの周縁の内側に取り付けた（縫い付けた）フィルタ機能を有するメッシュ状の通気性素材２６Ｌによって覆われている。
【００３８】
また、聴取確保用開口部２５Ｒは、図７に示すように、聴取確保用開口部２５Ｒの周縁の内側に取り付けた（縫い付けた）フィルタ機能を有するメッシュ状の通気性素材２６Ｒによって覆われている。
【００３９】
上記した通気性素材２４（フード本体２１）の内側の上側には、図１、図７、図８に示すように、着用した状態で、着用者の鼻に当接（接触）する鼻パッド６１が縫い付けられている。
【００４０】
この鼻パッド６１は、図１０に示すように、２枚の柔軟な布６２，６３の内部に弾性材（弾性体）６４を充填材（あんこ）として詰めた棒状体とした後、上側へ凸形状に長さ方向の中央部分を折ったその中央部分の後側を下側へ押し込み、その下側へ押し込んだ部分を逢着（図１０（ａ）に示す逢着部分Ｍ）することにより、山形形状（逆Ｖ字形状）とされている。
【００４１】
そして、図８に示すように、鼻に当接（接触）する前側両端部の一部分（図１０（ａ）、（ｂ）に点線で示す逢着部分Ｎ）が通気性素材２４（フード本体２１）の内側の上側に縫い付けられている。
【００４２】
上記した締め付け調整機構４１は、図４、図６に示すように、一端がフード本体２１の左前上側に取り付けられた第１帯紐と、一端がフード本体２１の右前上側に取り付けられた第２帯紐と、例えば、第２帯紐の他端に取り付けられ、挿通した第１帯紐の他端側の把持位置（ロック位置）を調整する第１調整具とで構成されている。
【００４３】
また、締め付け調整機構４２は、図１、図４、図６に示すように、一端がフード本体２１の左前下側に取り付けられた第３帯紐と、一端がフード本体２１の右前下側に取り付けられた第４帯紐と、例えば、第４帯紐の他端に取り付けられ、挿通した第３帯紐の他端側の把持位置（ロック位置）を調整する第２調整具とで構成されている。
【００４４】
この発明の一実施例のシールド付き防塵フード１１によれば、シールド５１の上端部とフード本体２１との間に空気流入用開口部Ｈが形成されているので、ダウンフローが空気流入用開口部Ｈからフード本体２１内に入ることにより、フード本体２１内に空気が滞留するのを防ぐことができるとともに、眉毛などが着用者から落ちても、シールド５１の内面に付着しないように落下させることができる。
したがって、作業が行い易くなるとともに、目視検査において目視検査を正常に行うことができる。
【００４５】
また、シールド５１が下側から上側へ向かって前側に傾斜しているので、眼鏡用のスペースが確保できることにより、眼鏡使用者が着用しても着用違和感や窮屈さを感じなくなる。
【００４６】
また、シールド５１が、複数の取付部材５４によって視界確保用開口部２２の周縁に着脱可能に取り付けられているので、シールド５１をフード本体２１から取り外すことにより、フード本体２１などを洗濯したり、シールド５１を交換することができる。
【００４７】
また、複数の取付部材５４が、視界確保用開口部２２の周縁のフード本体２１の内側となる位置と、シールド５１の下端部および左右両端部とに取り付けられているので、万一、複数の取付部材５４が破損しても、取付部材５４の破片がフード本体２１内から外部に出て、製品などに混入するのを防止することができる。
【００４８】
また、シールド５１の左端部を内側から覆うシールド左端部カバー５６Ｌと、シールド５１の右端部を内側から覆うシールド右端部カバー５６Ｒとを設けたので、シールド５１の左右端部が着用者の顔面の左右に直接当接（接触）しなくなることにより、シールド５１の左右端部が着用者の顔面の左右への張り付くのを防止でき、着用違和感を感じなくなる。
【００４９】
また、フード本体２１の内側に、着用者が着用した状態で、鼻に当接する山形形状の鼻パッド６１を設けたので、鼻パッド６１によって鼻の周囲とフード本体２１との間が塞がれることにより、呼気が上昇してシールド５１側へ流れるのを防止でき、また、鼻パッド６１によって鼻の周囲とフード本体５１との間に空間を確保できることにより、フード本体２１が鼻の周囲に直接接触しなくなって着用違和感や不快感を感じなくなる。
【００５０】
また、鼻パッド６１が、両端部の一部分でフード本体２１に縫い付けられているので、着用時に鼻パッド６１が縫い付け部分を中心にして移動できることにより、鼻パッド６１が引っ掛からなくなって着用を容易に行うことができる。
【００５１】
また、通気性素材２４が、着用者の口から離れる前方向へ膨らむ形状に縫製されているので、着用者の口の周りに空間を確保できることにより、息苦しさを感じなくなる。
【００５２】
上記した実施例において、シールド５１をフード本体２１に着脱可能に取り付ける取付部材５４を３個所（３つ）とした例を示したが、取付部材５４は３個所（３つ）以上であってもよい。
【００５３】
また、シールド５１の上端部とフード本体２１との間に空気流入用開口部Ｈを形成するように、シールド５１を視界確保用開口部２２の周縁の内側に着脱可能に取り付けた例を示したが、シールド５１の上端部とフード本体２１との間に空気流入用開口部Ｈを形成するように、シールド５１を視界確保用開口部２２の周縁の外側に着脱可能に取り付けたり、シールド５１の上端部とフード本体２１との間に空気流入用開口部Ｈを形成するように、シールド５１を視界確保用開口部２２の周縁の内側に縫い付けたり、シールド５１の上端部とフード本体２１との間に空気流入用開口部Ｈを形成するように、シールド５１を視界確保用開口部２２の周縁の外側に縫い付けても、同様な効果を得ることができる。
【符号の説明】
【００５４】
１１    シールド付防塵フード
２１    フード本体
２２    視界確保用開口部
２３    呼吸確保用開口部
２４    通気性素材
２５Ｌ  聴取確保用開口部
２５Ｒ  聴取確保用開口部
２６Ｌ  通気性素材
２６Ｒ  通気性素材
３１    スカート部
４１    締め付け調整機構
４２    締め付け調整機構
５１    シールド
５２    シールド本体
５３    シールド本体端部保護部材
５４    取付部材
５６Ｌ  シールド左端部カバー
５６Ｒ  シールド右端部カバー
６１    鼻パッド
６２    布
６３    布
６４    弾性材
Ｈ      空気流入用開口部
Ｍ，Ｎ  逢着部分
【図１】
0005815930.tif 000002
【図２】
0005815930.tif 000003
【図３】
0005815930.tif 000004
【図４】
0005815930.tif 000005
【図５】
0005815930.tif 000006
【図６】
0005815930.tif 000007
【図７】
0005815930.tif 000008
【図８】
0005815930.tif 000009
【図９】
0005815930.tif 000010
【図１０】
0005815930.tif 000011